(57)【要約】【課題】ミラーに写る像とは別の像を明るく視認できるコンパクトな車両用後写鏡を提供することを目的とする。【解決手段】車両後方を視認するためのミラー１０を備えた車両用後写鏡（アウターミラー１）において、少なくともミラー１０の一部を、透過状態とミラー状態とを切替可能なミラー液晶ディスプレイ３０にて構成し、そのミラー液晶ディスプレイ３０の背面側に、ミラー１０に写る像とは別の像を表示する表示手段（第二ミラー４０）を設け、ミラー液晶ディスプレイ３０は、印加される電圧が切替閾値電圧以上のときに透過状態となり、印加される電圧が切替閾値電圧未満のときまたは電圧が印加されないときにミラー状態となるように構成されている。【選択図】図１
2009056932.tif 000002
【特許請求の範囲】
【請求項１】
車両後方を視認するためのミラーを備えた車両用後写鏡において、
少なくとも前記ミラーの一部を、透過状態とミラー状態とを切替可能なミラー液晶ディスプレイにて構成し、
そのミラー液晶ディスプレイの背面側に、前記ミラーに写る像とは別の像を表示する表示手段を設けた
ことを特徴とする車両用後写鏡。
【請求項２】
前記表示手段は、前記ミラーとは別角度で固定された第二ミラーにて構成されている
ことを特徴とする請求項１に記載の車両用後写鏡。
【請求項３】
車両後方を視認するためのミラーを備えた車両用後写鏡において、
少なくとも前記ミラーの一部を、透過状態とミラー状態とを切替可能なミラー液晶ディスプレイにて構成し、
そのミラー液晶ディスプレイの背面側のミラーカバーに、その前方を視認するための開口部を形成した
ことを特徴とする車両用後写鏡。
【請求項４】
前記ミラー液晶ディスプレイは、透過状態とミラー状態との切替閾値電圧の印加・非印加で透過状態とミラー状態とが切り替えられ、
前記ミラー液晶ディスプレイに印加される電圧が前記切替閾値電圧以上のときに透過状態となり、前記ミラー液晶ディスプレイに印加される電圧が前記切替閾値電圧未満のときまたは電圧が印加されないときにミラー状態となるように構成された
ことを特徴とする請求項１乃至請求項３のいずれか１項に記載の車両用後写鏡。
【請求項５】
前記ミラー液晶ディスプレイは、走行状態を判定する判定手段に接続され、
前記判定手段がリバース、停車または所定速度未満の走行であると判断したときに前記ミラー液晶ディスプレイは透過状態となり、
前記判定手段が所定速度以上の走行であると判断したときに前記ミラー液晶ディスプレイはミラー状態となるように構成された
ことを特徴とする請求項１乃至請求項４のいずれか１項に記載の車両用後写鏡。
【請求項６】
前記ミラーは、外側端部に配置されフラット状表面を有する前記ミラー液晶ディスプレイと、その内側に配置され一定曲率の球面状表面を有する球面曲面鏡とを備えて構成されている
ことを特徴とする請求項１乃至請求項５のいずれか１項に記載の車両用後写鏡。
【請求項７】
前記ミラーは、前記球面曲面鏡または前記ミラー液晶ディスプレイの内側で内側端部まで延出して配置され、内側に向かうに連れて前記一定曲率よりも徐々に曲率が大きくなる非球面状表面を有する非球面曲面鏡を備えた
ことを特徴とする請求項６に記載の車両用後写鏡。
【請求項８】
車両後方を視認するためのミラーを備えた車両用後写鏡において、
少なくとも前記ミラーの一部を、透過状態とミラー状態とを切替可能なミラー液晶ディスプレイにて構成し、
そのミラー液晶ディスプレイの背面側に、ターンランプ、ストップランプの光源、または車両の開錠あるいは施錠時に点灯する照明ランプや足元灯の光源を設けた
ことを特徴とする車両用後写鏡。
【発明の詳細な説明】
【技術分野】
【０００１】
本発明は、車両後方を視認するためのミラーを備えた車両用後写鏡に関する。
【背景技術】
【０００２】
近年、車両用後写鏡は、ミラーに写る像とは別の像を写す車載カメラの映像やテレビの映像等を表示する画像形成装置を内蔵したものが開発されており、例えば、画素を形成する電極を設けた液晶セルと、この液晶セルの裏側に配置されたハーフミラーと、このハーフミラーの裏側に配置されたバックライトと、液晶セルの電極駆動手段とを備えたミラーが知られている（例えば、特許文献１参照）。
【０００３】
また、車両の後側下部等のミラーに写る像とは別の像を写す車両用後写鏡として、車両後方を写す通常のミラーの下方に車両の後側下部等を写す補助ミラーを別途に設けたものがあった。
【特許文献１】特開平３−２４３９１４号公報
【発明の開示】
【発明が解決しようとする課題】
【０００４】
特許文献１のミラーは、ハーフミラーを用いているため、透過および反射のいずれであっても、光量が約二分の一になってしまい、画像を表示すると画面が暗くなってしまうという問題があった。
【０００５】
また、補助ミラーを設けたミラーでは、ミラー全体が大きくなってしまうという問題があった。
【０００６】
このような観点から、本発明は、ミラーに写る像とは別の像を明るく視認できるコンパクトな車両用後写鏡を提供することを目的とする。
【課題を解決するための手段】
【０００７】
このような課題を解決するために創案された請求項１に係る発明は、車両後方を視認するためのミラーを備えた車両用後写鏡において、少なくとも前記ミラーの一部を、透過状態とミラー状態とを切替可能なミラー液晶ディスプレイにて構成し、そのミラー液晶ディスプレイの背面側に、前記ミラーに写る像とは別の像を表示する表示手段を設けたことを特徴とする車両用後写鏡である。
【０００８】
このような構成によれば、ハーフミラーを有さないミラー液晶ディスプレイを用いてミラーの表示像を変更しているので、ミラーの反射率が低下することがなく、透過率も低下しないので表示手段に写るミラーに写る像とは別の像を明るく視認することができる。さらに、表示手段は、ミラーの背面側に設けられているので、車両用後写鏡の巨大化を防止でき、コンパクトな車両用後写鏡を提供できる。
【０００９】
請求項２に係る発明は、前記表示手段は、前記ミラーとは別角度で固定された第二ミラーにて構成されていることを特徴とする請求項１に記載の車両用後写鏡である。
【００１０】
このような構成によれば、簡単な構成で、車両の後側下部等の死角部を写すことができ、車両用後写鏡のさらなるコンパクト化を達成できる。
【００１１】
請求項３に係る発明は、車両後方を視認するためのミラーを備えた車両用後写鏡において、少なくとも前記ミラーの一部を、透過状態とミラー状態とを切替可能なミラー液晶ディスプレイにて構成し、そのミラー液晶ディスプレイの背面側のミラーカバーに、その前方を視認するための開口部を形成したことを特徴とする車両用後写鏡である。
【００１２】
このような構成によれば、簡単な構成で、車両用後写鏡の前方の死角部を視認することができるとともに、車両用後写鏡のコンパクト化を達成できる。
【００１３】
請求項４に係る発明は、前記ミラー液晶ディスプレイが、透過状態とミラー状態との切替閾値電圧の印加・非印加で透過状態とミラー状態とが切り替えられ、前記ミラー液晶ディスプレイに印加される電圧が前記切替閾値電圧以上のときに透過状態となり、前記ミラー液晶ディスプレイに印加される電圧が前記切替閾値電圧未満のときまたは電圧が印加されないときにミラー状態となるように構成されたことを特徴とする請求項１乃至請求項３のいずれか１項に記載の車両用後写鏡である。
【００１４】
このような構成によれば、万一、ミラー液晶ディスプレイの電圧印加手段等が故障して、電圧を印加できない状態になったとしても、通常のミラー状態は確保できるので、走行に支障を与えることはない。
【００１５】
請求項５に係る発明は、前記ミラー液晶ディスプレイが、走行状態を判定する判定手段に接続され、前記判定手段がリバース、停車または所定速度未満の走行であると判断したときに前記ミラー液晶ディスプレイは透過状態となり、前記判定手段が所定速度以上の走行であると判断したときに前記ミラー液晶ディスプレイはミラー状態となるように構成されたことを特徴とする請求項１乃至請求項４のいずれか１項に記載の車両用後写鏡である。
【００１６】
このような構成によれば、ミラーに写らない死角部の確認が必要なリバース、停車または所定速度未満の走行のときに、ミラー液晶ディスプレイが透過状態となり、死角部を視認することができる。また、所定速度以上の走行のときには、ミラーの面積が大きくなるので、走行しやすくなる。さらに、所定速度未満になったときに、ミラー液晶ディスプレイが自動的に透過状態に切り替えられるので、運転者にミラーに写らない死角部への注意喚起をすることができる。
【００１７】
請求項６に係る発明は、前記ミラーが、外側端部に配置されフラット状表面を有する前記ミラー液晶ディスプレイと、その内側に配置され一定曲率の球面状表面を有する球面曲面鏡とを備えて構成されていることを特徴とする請求項１乃至請求項５のいずれか１項に記載の車両用後写鏡である。
【００１８】
ミラーの外側端部にフラット状表面を有するミラー液晶ディスプレイを設けたことによって、車両後方の距離感を掴みやすくなるとともに、内側の球面曲面鏡によって広い範囲の車両後方の像を写すことができる。
【００１９】
請求項７に係る発明は、前記ミラーが、前記球面曲面鏡または前記ミラー液晶ディスプレイの内側で内側端部まで延出して配置され、内側に向かうに連れて前記一定曲率よりも徐々に曲率が大きくなる非球面状表面を有する非球面曲面鏡を備えたことを特徴とする請求項６に記載の車両用後写鏡である。
【００２０】
このような構成によれば、非球面曲面鏡によってさらに広い範囲の車両後方の像を写すことができる。通常、非球面曲面鏡を端部に設けると、像が端部で伸びるように変形しながら写るが、本発明に係る非球面曲面鏡はミラーの内側端部に設けられているため、端部には自車が写り、像が固定されている。したがって、非球面曲面鏡の端部で像が変形しながら写ることはなく、運転者に違和感を与えることはない。
【００２１】
請求項８に係る発明は、車両後方を視認するためのミラーを備えた車両用後写鏡において、少なくとも前記ミラーの一部を、透過状態とミラー状態とを切替可能なミラー液晶ディスプレイにて構成し、そのミラー液晶ディスプレイの背面側に、ターンランプ、ストップランプの光源、または車両の開錠あるいは施錠時に点灯する照明ランプや足元灯の光源を設けたことを特徴とする車両用後写鏡である。
【００２２】
このような構成によれば、各光源からの光をミラー液晶ディスプレイの透過状態下で点灯させることで、光源の明るさを低下させることなく、明るい状態で各ランプを使用することができる。
【発明の効果】
【００２３】
本発明に係る車両用後写鏡によれば、ミラーに写る像とは別の像を明るく視認できるとともに、車両用後写鏡本体のコンパクト化を達成できるといった優れた効果を発揮する。
【発明を実施するための最良の形態】
【００２４】
次に、本発明に係る車両用後写鏡を実施するための最良の第一の形態について、添付図面を参照しながら詳細に説明する。なお、本実施形態では、車両後方を視認するための車両用後写鏡として、車外に設けられるアウターミラーを例に挙げて説明する。
【００２５】
図１に示すように、本実施形態に係る車両用後写鏡であるアウターミラー１は、自動車の車体のサイドドア（図示せず）に付設された所謂ドアミラーであり、車体の側面からその側方に向かって張り出して形成されている。なお、本明細書において、「表面」とは、ミラーの運転席側に向いた面をいい、「背面」とは、ミラーの裏側のミラーカバー側を言う。さらに、「前後」は、自動車の前後方向を示すこととする。
【００２６】
アウターミラー１は、車両後方を視認するためのミラー１０と、このミラー１０の背面を覆うミラーカバー２０とを備えて構成されている。
【００２７】
ミラー１０は、運転席から見て車両後方の領域Ａ１（図３参照）が写る角度で配置され、ミラーカバー２０の内側に設けられたミラー支持枠２１（図２参照）に外周縁が固定されている。ミラー１０はフラットな表面を有する平面鏡にて構成されている。本発明に係るアウターミラー１は、少なくともミラー１０の一部が、透過状態とミラー状態とを切替可能なミラー液晶ディスプレイ３０にて構成されている。本実施形態では、ミラー１０の外側上部にミラー液晶ディスプレイ３０が設けられている。ミラー液晶ディスプレイ３０は、ミラー１０を表面側から見て略三角形状に形成されている。
【００２８】
図２に示すように、ミラー液晶ディスプレイ３０は、板状に形成されており、ミラー１０を固定するミラー支持枠２１に外周縁が固定されている。ミラー液晶ディスプレイ３０は、ミラー１０と同一平面状に配置されており、ミラー状態のときに、他の部分のミラー１０と連続的な像を写すように構成されている。
【００２９】
ミラー液晶ディスプレイ３０の背面側には、ミラー１０に写る像とは別の像を表示する表示手段である第二ミラー４０が設けられている。第二ミラー４０は、ミラー１０とは別角度で固定された曲面鏡にて構成されており、ミラー１０およびミラー液晶ディスプレイ３０を固定するミラー支持枠２１に外周縁が固定されている。ミラー支持枠２１には、ミラー液晶ディスプレイ３０の固定部分（ミラー１０の外側上部）に背面側にへこむ凹部２１ａが形成されており、この凹部２１ａの底部に第二ミラー４０が係止され、凹部２１ａの頂部（表面部分）にミラー液晶ディスプレイ３０が係止されている。第二ミラー４０は、例えば、運転席から見て死角部となる車両側面後方下部の領域Ａ２（図３参照）を写し出す角度に配置されて固定されている（図１の（ｂ）参照）。なお、図１の（ｂ）中、４１ａは、自車側面の後方下部の像を示し、４１ｂは、道路のセンターラインの像を示す。
【００３０】
なお、ミラー液晶ディスプレイ３０の背面側に設けられる表示手段は、本実施形態のように配置角度を変えて固定された第二ミラー４０に限られるものではない。例えば、車両の前方や後方を撮影する車載カメラ（図示せず）に接続された液晶モニター等の画像表示装置であってもよい。さらに、像を表示するものでなくても、例えば、ターンランプ、ストップランプ（ブレーキランプ）の光源や、車両の開錠あるいは施錠時に点灯する照明ランプ（ウェルカムランプ）や足元灯の光源等を設けてもよい。この場合、各光源の作動状態に応じて、ミラー液晶ディスプレイ３０の透過状態とミラー状態とを切り替えるようにする。具体的には、光源の点灯時に、ミラー液晶ディスプレイ３０は、スイッチがオンされて切替閾値電圧以上の電圧が印加されて透過状態となり、光源の消灯時に、スイッチがオフされて電圧が非印加となりミラー状態となるように構成される。このような構成によれば、光源の明るさを低下させることなく、明るい状態で各ランプを使用することができる。
【００３１】
ミラー液晶ディスプレイ３０は、図４に示すように、ミラー１０の表面側から、偏光板３０ａ、液晶セル３０ｂ、反射型偏光板３０ｃ、光透過部材３０ｄを重ねて貼付した構造になっている。
【００３２】
偏光板３０ａは、透過する光の偏光成分を選択するものであり、表面側から入射した入射光の特定の第一偏光成分を透過光として液晶セル３０ｂに射出する。本実施形態では、第一偏光成分を、垂直偏光成分としている。また、偏光板３０ａは、液晶セル３０ｂから入射する第一偏光成分の入射光をそのまま透過して透過光として、表面側に射出する。なお、運転者は、射出される透過光を網膜に結像することで、車両後方の状況を視認できる。
【００３３】
液晶セル３０ｂは、偏光板３０ａの背面に配置されたもので、光の透過のシャッターとして機能する。この液晶セル３０ｂは、制御領域ごとに独立した図示しない透明電極が配線されている。透明電極はガラス基板３０ｅ，３０ｆに形成され、ガラス基板３０ｅ，３０ｆ間に形成された空間に液晶３０ｈが封入されている。なお、液晶３０ｈは、ＴＮ（Ｔｗｉｓｔｅｄ  Ｎｅｍａｔｉｃ）液晶とする。
【００３４】
ミラー液晶ディスプレイ３０は、透過状態とミラー状態との切替閾値電圧の印加・非印加で透過状態とミラー状態とが切り替えられ、ミラー液晶ディスプレイ３０に印加される電圧が切替閾値電圧以上のときに透過状態となり、ミラー液晶ディスプレイ３０に印加される電圧が前記切替閾値電圧未満のときまたは電圧が印加されないときにミラー状態となるように構成されている。本実施形態では、ミラー液晶ディスプレイ３０は、電圧の印加・非印加、すなわちスイッチのオン・オフで透過状態とミラー状態とを切り替えるように構成されている。要するに、ガラス基板３０ｅ，３０ｆの図示しない透明電極間に電圧を印加しないスイッチオフ（非印加）のときに、入射光に対して旋光性を発現してミラー状態となり、その透明電極間に切替閾値電圧以上の電圧を印加したスイッチオン（印加）のときに、発現していた旋光性が解消して透過状態となる液晶配列になっている。ガラス基板３０ｅ，３０ｆの間には、シール材（スペーサ）３０ｇが配置されている。
【００３５】
反射型偏光板３０ｃは、液晶セル３０ｂの背面に配置され、かつ、直交する偏光成分の光のいずれか一方を透過させるとともに他方を反射するものである。なお、ここでは、反射型偏光板３０ｃが、透過させる偏光成分を垂直偏光成分（第二偏光成分）とし、反射させる偏光成分を水平偏光成分（第三偏光成分）とする。つまり、第一偏光成分（垂直偏光成分）と第三偏光成分（水平偏光成分）とが直交し、かつ、第一偏光成分（垂直偏光成分）と第二偏光成分（垂直偏光成分）とが平行になっている。反射型偏光板３０ｃは、背面側から入射する入射光をそのまま透過して透過光として、表面側に射出する。
【００３６】
ここで、反射型偏光板３０ｃの構造について説明する。図５は、図４に示す反射型偏光板３０ｃの構造を示す斜視図である。この反射型偏光板３０ｃは、樹脂層３０ｃ１，３０ｃ２，３０ｃ３，…，３０ｃｎ−３，３０ｃｎ−２，３０ｃｎ−１，３０ｃｎの多層光学フィルム構造体によって形成されている。この反射型偏光板３０ｃは、反射面に対し角度を持って反射した光が部分的に偏光することを利用し、多段階（各樹脂層３０ｃｎ）の反射を用いて直線偏光を作り出す。
【００３７】
また、本実施形態では、偏光板３０ａおよび反射型偏光板３０ｃは、屈折率異方性を有する樹脂層によって形成されている。この屈折率異方性を有する樹脂層は、例えば、ポリビニルアルコール−ヨウ素系の材料を用いて形成される。例えば、ポリビニルアルコールを屈折率異方性が生じるように種々の方向に引き延ばして、そのポリビニルアルコールの分子のらせんが種々の方向に向くように並べた後、ヨウ素溶液に浸すことによって、そのらせん中にヨウ素を取り込ませて屈折率異方性と偏光性とを持たせて形成される。なお、さらに、セルロース系のプラスチックフィルムで挟んで耐久性と機械的強度を持たせることが望ましい。
【００３８】
図４に戻って、光透過部材３０ｄについて説明する。この光透過部材３０ｄは、反射型偏光板３０ｃの背面に配置され、ガラス等の透明物質によって形成される。また、空気層であってもよい。また、この光透過部材３０ｄは、偏光板３０ａと同じ光透過特性を備え、或いは、反射型偏光板３０ｃと同じ偏光成分の光透過特性を備えるものであってもよい。そのため、光透過部材３０ｄは、反射型偏光板３０ｃを厚く形成したものでもよい。この実施形態では、光透過部材３０ｄは、垂直偏光成分を透過する。
【００３９】
ミラー液晶ディスプレイ３０には、車速や走行方向等の走行状態を検知する判定手段（図示せず）が接続されており、走行状態に応じて、透過状態とミラー状態とを切り替えるように構成されている。ミラー液晶ディスプレイ３０は、判定手段がリバース、停車または所定速度未満の走行であると判断したとき透過状態となり、判定手段が所定速度以上の走行であると判断したときにミラー状態となる。具体的には、速度センサ（図示せず）やギヤポジション検知手段（図示せず）等の判定手段が、ガラス基板３０ｅ，３０ｆの図示しない透明電極間に電圧を印加するスイッチに接続されており、例えば、時速１０ｋｍ以上になると、スイッチがオフで電圧が非印加になり、ミラー液晶ディスプレイ３０がミラー状態となる。一方、リバース、停車或いは時速１０ｋｍ未満になると、スイッチがオンで切替閾値電圧以上の電圧が印加され、ミラー液晶ディスプレイ３０が透過状態となる。
【００４０】
このような構成のアウターミラー１によれば、ミラー液晶ディスプレイ３０は、ハーフミラーを用いていないので、ミラー状態における反射率が低下することなく、車両後方の視認性を高めることができるとともに、透過状態における光の透過率が高いので、ミラーに写る像とは別の像を明るく視認することができる。
【００４１】
また、表示手段が、ミラー液晶ディスプレイ３０の背面側に設けられているので、ミラー１０の表面側から見た面積が大きくなることがなく、アウターミラー１の巨大化を防止できる。さらに、本実施形態では、表示手段は第二ミラー４０にて構成されているので、簡単な構成で薄く形成することができる。これによって、アウターミラー１の前後方向の厚さを薄くでき、コンパクト化を達成できる。
【００４２】
さらに、ミラー液晶ディスプレイ３０は、ミラー１０の外側上部に設けられているので、従来の補助ミラーを設けたものよりも、運転席から見やすい位置で視認できるとともに、ミラー液晶ディスプレイ３０の面積を大きくすることができるので、視認性を向上させることができる。
【００４３】
本実施形態では、ミラー液晶ディスプレイ３０が、電圧の印加・非印加で透過状態とミラー状態とが切り替えられ、ミラー液晶ディスプレイ３０に印加される電圧が切替閾値電圧以上のときに透過状態となり、ミラー液晶ディスプレイ３０に印加される電圧が切替閾値電圧未満のときまたは電圧が印加されないときにミラー状態となるように構成されているので、万一、ミラー液晶ディスプレイに電圧を印加できない状態になったとしても、通常のミラー状態は確保できるので、走行に支障を与えることはない。なお、エンジン停止時には、スイッチがオフとなり電圧は印加されないので、ミラー状態となる。
【００４４】
また、ミラー液晶ディスプレイ３０が、リバース、停車または所定速度未満の走行でスイッチがオンされ切替閾値電圧以上の電圧が印加されて透過状態となり、所定速度以上の走行でスイッチがオフされ電圧が非印加となり、ミラー状態となるように構成されているので、ミラー１０に写らない死角部の確認が必要なリバース、停車または所定速度未満の走行のときに、ミラー液晶ディスプレイ３０が透過状態となり、死角部を視認することができる。透過状態では、図３の第二ミラー４０で領域Ａ２を写すようになっており、運転者は、図１の（ｂ）に示すような像が見える。すなわち、ミラー１０では、車両後方の領域Ａ１（図３参照）を、ミラー液晶ディスプレイ３０の部分では、車両側面後方下部の領域Ａ２（図３参照）を、ともに視認できる。したがって、同一のアウターミラー１で、角度の異なる部分を同時に視認することができ、運転を行いやすくなる。このとき、車両側面後方下部の領域Ａ２（図３参照）を明るく視認することができる。
【００４５】
一方、所定速度以上の走行のときには、車両後方を写すミラー１０の面積が大きくなるので、走行しやすくなる。ミラー状態では、図３の第二ミラー４０で領域Ａ１を写すようになっており、運転者は、図１の（ａ）に示すような像が見える。すなわち、ミラー１０およびミラー液晶ディスプレイ３０の両方で、車両後方の領域Ａ１（図３参照）を連続的に視認できる。したがって、広い範囲を視認することができ、運転を行いやすくなる。このとき、ミラー液晶ディスプレイ３０の部分でも反射率が低下していないので、他の部分のミラー１０と同等の明るさの像で視認することができる。
【００４６】
さらに、所定速度以下になったときに、ミラー液晶ディスプレイ３０が自動的に透過状態に切り替えられて像が変化するので、運転者にミラー１０に写らない死角部への注意喚起をすることができる。
【００４７】
次に、本発明に係る車両用後写鏡を実施するための最良の第二の形態について、添付図面を参照しながら詳細に説明する。
【００４８】
図６および図７に示すように、本実施形態に係るアウターミラー１（車両用後写鏡）は、ミラー１０の一部に設けられたミラー液晶ディスプレイ３０の背面側のミラーカバー２０に、その前方を視認するための開口部２２を形成したことを特徴とする。
【００４９】
開口部２２は、運転席から見て、ミラー液晶ディスプレイ３０と重なる部分に形成されており、開口部２２の前方の像の光路を直線的に確保するように構成されている。開口部２２には、ガラスあるいは透明樹脂等からなるカバー部材２３が設けられており、ミラーカバー２０の内部に雨や埃が浸入するのを防止している。
【００５０】
ミラー液晶ディスプレイ３０の背面側で、開口部２２との間には、開口部２２の前方の像を透過させるレンズ２４が設けられている。レンズ２４は、開口部２２の前方の広い範囲の像を集約してミラー液晶ディスプレイ３０の背面に表示するように構成されており、例えば、プリズムレンズや凹レンズが用いられている。凹レンズは、具体的には、両面が凹状に形成された両面凹レンズや、一方の面が凹状に形成され他方の面が凸条に形成された凸凹レンズが用いられる。特に、後者の凸凹レンズは、凸面をドアミラーの外形に沿わせることで、一体的に取り付けることが可能となるので好ましい。このようにレンズ２４を設けることによって、開口部２２は、ミラー液晶ディスプレイ３０の表面積よりも大きくでき、広い範囲の像を視認することができる。
【００５１】
なお、ミラー１０とミラー液晶ディスプレイ３０は、前記した第一の実施形態と同様であるので、同じ符号を付して説明を省略する。本実施形態でも、ミラー１０とミラー液晶ディスプレイ３０はミラー支持枠（図示せず）に固定されているが、ミラー支持枠のミラー液晶ディスプレイ３０の背面には、開口部（図示せず）が形成されており、ミラー液晶ディスプレイ３０から、開口部２２からの光路を確保できるように構成されている。
【００５２】
また、ミラー液晶ディスプレイ３０は、前記した第一の実施形態と同様に、電圧の印加・非印加（スイッチのオン・オフ）で透過状態とミラー状態とが切り替えられ、スイッチがオンで切替閾値電圧以上の電圧が印加されて透過状態となり、スイッチがオフで電圧が非印加となりミラー状態となるように構成されている。さらに、ミラー液晶ディスプレイ３０は、リバース、停車または所定速度未満の走行で透過状態となり、所定速度以上の走行でミラー状態となるように構成されている。
【００５３】
このような構成のアウターミラー１によれば、図８に示すように、アウターミラー１とピラー２によって死角となっていた前方の領域Ａ３，Ａ４を視認できるようになり、高さの低い対象物の視認性が向上する。
【００５４】
図６の（ａ）は、ミラー液晶ディスプレイ３０がミラー状態の場合を示し、図示しないが、ミラー液晶ディスプレイ３０には、ミラー１０に写る像と一体的に車両後方が写っている。図６の（ｂ）は、ミラー液晶ディスプレイ３０が透過状態の場合を示し、ミラー液晶ディスプレイ３０には、アウターミラー１の前方にいる高さの低い対象物（例えば、犬等）が写っている。このとき、ミラー液晶ディスプレイ３０と開口部２２との間にレンズ２４が設けられているので、アウターミラー１の前方の広い領域Ａ３を視認することが可能となる。
【００５５】
次に、本発明に係る車両用後写鏡を実施するための最良の第三の形態について、添付図面を参照しながら詳細に説明する。
【００５６】
図９に示すように、本実施形態に係るアウターミラー１は、ミラー１０が、外側端部に配置されフラット状表面を有するミラー液晶ディスプレイ３０と、その内側（車体側）に配置され一定曲率の球面状表面を有する球面曲面鏡１１と、さらにその内側で内側端部に延出するように配置され、内側に向かうに連れて前記一定曲率よりも徐々に曲率が大きくなる非球面状表面を有する非球面曲面鏡１２とを備えて構成されていることを特徴とする。
【００５７】
ミラー液晶ディスプレイ３０は、ミラー１０の外側端部の全高に亘って形成されており、ミラー１０の全幅の略１／５の幅を有している。なお、ミラー液晶ディスプレイ３０のフラット状表面と、球面曲面鏡１１の球面状表面とを連続的に接続するのは困難であるので、ミラー液晶ディスプレイ３０と球面曲面鏡１１との境界部分には、ミラー支持枠２１が露出しており、その露出部分の両側でミラー液晶ディスプレイ３０と球面曲面鏡１１とがそれぞれ係止されている。
【００５８】
球面曲面鏡１１は、ミラー１０の幅方向中央で全幅の略３／５の幅を有している。
【００５９】
非球面曲面鏡１２は、ミラー１０の内側端部の全高に亘って形成されており、ミラー１０の全幅の略１／５の幅を有している。非球面曲面鏡１２は、球面曲面鏡１１との境界部分では、球面曲面鏡１１と同等の曲率を有しており、曲率が内側に向かうに連れて前記一定曲率よりも徐々に大きくなる、すなわち、車体に近づくに連れて、曲率半径が小さくなるように構成されている。球面曲面鏡１１と非球面曲面鏡１２とは、その境界部分で連続的に接続されている。
【００６０】
ミラー液晶ディスプレイ３０の背面側には、第一の実施形態と同様に第二ミラー４０が設けられており、ミラー液晶ディスプレイ３０が透過状態のときに、車両側面後方下部を写すように構成されている。
【００６１】
また、ミラー液晶ディスプレイ３０は、前記した第一および第二の実施形態と同様に、電圧の印加・非印加（スイッチのオン・オフ）で透過状態とミラー状態とが切り替えられ、スイッチがオンで切替閾値電圧以上の電圧が印加されて透過状態となり、スイッチがオフで電圧が非印加となりミラー状態となるように構成されている。さらに、ミラー液晶ディスプレイ３０は、リバース、停車または所定速度未満の走行で透過状態となり、所定速度以上の走行でミラー状態となるように構成されている。
【００６２】
このような構成のアウターミラー１によれば、前記した第一の実施形態と同様の作用効果の他に以下のような作用効果を得ることができる。
【００６３】
要するに、ミラー１０の外側端部にフラット状表面を有するミラー液晶ディスプレイ３０を設けたことによって、そこに写る像は実物と１：１の比率で表示されるため、その部分の車両後方の像が歪まないので、距離感を掴みやすくなる。また、内側には、球面曲面鏡１１が設けられているので、広い範囲の車両後方の像を写すことができ、広い範囲を視認することができる。また、ミラー液晶ディスプレイ３０をフラット状表面としているので、液晶が角度依存することなく、精度の高いミラー液晶ディスプレイ３０を、容易に提供することができる。
【００６４】
さらに、非球面曲面鏡１２をミラー１０の内側端部に設けているので、より一層広い範囲の車両後方の像を写すことができる。通常、非球面曲面鏡１２を端部に設けると、像が端部で伸びるように変形しながら写るが、かかる非球面曲面鏡１２はミラーの内側の端部に設けられているため、端部には自車が写り、像が固定されて移動することはない。したがって、非球面曲面鏡１２の端部で像が変形しながら写ることはなく、運転者にちらつき感や違和感を与えることはない。また、ミラー液晶ディスプレイ３０、球面曲面鏡１１および非球面曲面鏡１２を前記のような割合で配置したことによって、広い範囲を写せるとともに、距離感を掴みやすく、写りこむ像のバランスが良好なアウターミラー１を提供することができる。
【００６５】
なお、本実施形態では、ミラー１０の外側から内側に向かって、ミラー液晶ディスプレイ３０、球面曲面鏡１１、非球面曲面鏡１２の順で配置されているが、外側端部にミラー液晶ディスプレイ３０を配置して、内側端部に非球面曲面鏡１２を配置していれば、これに限られるものではない。球面曲面鏡１１は設けずに、外側端部にミラー液晶ディスプレイ３０を設けて、その内側に非球面曲面鏡１２を内側端部まで延出するように設けてもよい。
【００６６】
以上、本発明を実施するための形態について説明したが、本発明は前記実施の形態に限定されず、本発明の趣旨を逸脱しない範囲で適宜設計変更が可能である。例えば、前記実施の形態では、ドアミラータイプのアウターミラー１を例に挙げて説明したが、これに限られるものではなく、インナーミラーやフェンダーミラーであっても適用できるのは勿論である。そして、アウターミラー１やインナーミラーにそれぞれ適用して、各部を表示可能にすることによって、死角を大幅に低減することができる。
【００６７】
また、本実施形態では、ミラー１０の一部にミラー液晶ディスプレイ３０を設けているが、ミラー全体をミラー液晶ディスプレイで構成するようにしてもよい。この場合、ブロックごとにミラー液晶ディスプレイの切替を制御して、種々の場所を表示する表示手段をそれぞれ設けるようにすれば、車両側面後方下部以外の所望の場所を状況に応じて視認することが可能となる。
【００６８】
さらに、本実施形態では、車両の走行速度に応じて、ミラー液晶ディスプレイ３０のミラー状態と透過状態とを切り替えるようにしているが、手動で切替を行うようにしてもよいのは勿論である。
【００６９】
また、ミラー液晶ディスプレイ３０の透過状態への切替に応じて、視認対象物を照らすように足元照明装置を連動するように設けてもよい。この場合、夜間における視認性が大幅に向上する。
【図面の簡単な説明】
【００７０】
【図１】本発明に係る車両用後写鏡を実施するための最良の第一の形態を示した図であって、（ａ）はミラー状態を示した斜視図、（ｂ）は透過状態を示した斜視図である。
【図２】第一実施形態に係る車両用後写鏡を示した断面図である。
【図３】第一実施形態に係る車両用後写鏡の反射領域を示した側面図である。
【図４】ミラー液晶ディスプレイの構成を説明するための構成図である。
【図５】ミラー液晶ディスプレイの反射型偏光板の構成を説明するための構成図である。
【図６】本発明に係る車両用後写鏡を実施するための最良の第二の形態を示した図であって、（ａ）はミラー状態を示した斜視図、（ｂ）は透過状態を示した斜視図である。
【図７】第二実施形態に係る車両用後写鏡を示した断面図である。
【図８】運転席からの死角を示した平面図である。
【図９】本発明に係る車両用後写鏡を実施するための最良の第三の形態を示した図であって、（ａ）はミラー状態を示した斜視図、（ｂ）は透過状態を示した斜視図である。
【符号の説明】
【００７１】
１      アウターミラー（車両用後写鏡）
１０    ミラー
１１    球面曲面鏡
１２    非球面曲面鏡
２０    ミラーカバー
２２    開口部
３０    ミラー液晶ディスプレイ
４０    第二ミラー
【図１】
2009056932.tif 000003
【図２】
2009056932.tif 000004
【図３】
2009056932.tif 000005
【図４】
2009056932.tif 000006
【図５】
2009056932.tif 000007
【図６】
2009056932.tif 000008
【図７】
2009056932.tif 000009
【図８】
2009056932.tif 000010
【図９】
2009056932.tif 000011